(57)【要約】【課題】リセプタクルコネクタとプラグコネクタの接続状態を保持し易く、しかも接続したときに作業者がクリック感を明確に感じることが可能なコネクタコネクタを提供する。【解決手段】リセプタクルコンタクト６０がリセ側突起６４ａ、６６ａを有し、プラグコンタクト２５が、嵌合凸部１８が嵌合凹部４４に嵌合したときにリセ側突起と係合した後にリセ側突起を嵌合凸部の嵌合凹部に対する嵌合方向に乗り越えるプラグ側突起２６ａ１、２６ｂ１を有し、プラグ側固定金具は全てのプラグ側突起がリセ側突起を乗り越えたときにリセ側固定金具と接触し、リセ側固定金具が、上記嵌合方向に対して直交する直交方向に弾性変形可能な金具側弾性変形部５５を備え、プラグ側固定金具が、全てのプラグ側突起が上記リセ側突起を乗り越えたときに、金具側弾性変形部を弾性変形させながら該金具側弾性変形部に接触する。【選択図】図１５
2016038937.tif 000002
【特許請求の範囲】
【請求項１】
内周側に嵌合凹部を形成する環状の外周壁を有する樹脂製のリセプタクルインシュレータ、リセ側回路基板の回路パターンに対して実装可能でありかつ上記リセプタクルインシュレータに支持した弾性変形可能なリセプタクルコンタクト、及び上記リセプタクルインシュレータに支持したリセ側固定金具、を有するリセプタクルコネクタと、
上記嵌合凹部に嵌合可能な環状の嵌合凸部を有するプラグインシュレータ、プラグ側回路基板の回路パターンに実装可能でありかつ上記嵌合凸部が上記嵌合凹部に嵌合したときに上記リセプタクルコンタクトと接触する、上記プラグインシュレータに支持したプラグコンタクト、及び上記リセプタクルインシュレータに支持したプラグ側固定金具、を有するプラグコネクタと、
を具備するコネクタであって、
上記リセプタクルコンタクトがリセ側突起を有し、
上記プラグコンタクトが、上記嵌合凸部が上記嵌合凹部に嵌合したときに、上記リセ側突起と係合した後に該リセ側突起を上記嵌合凸部の上記嵌合凹部に対する嵌合方向に乗り越えるプラグ側突起を有し、
上記プラグ側固定金具は、少なくとも一つの上記プラグ側突起が上記リセ側突起を乗り越える前は上記リセ側固定金具と接触せず、全ての上記プラグ側突起が上記リセ側突起を乗り越えたときに上記リセ側固定金具と接触し、
上記リセ側固定金具が、上記嵌合方向に対して直交する直交方向に弾性変形可能な金具側弾性変形部を備え、
上記プラグ側固定金具が、全ての上記プラグ側突起が上記リセ側突起を乗り越えたときに、上記金具側弾性変形部を弾性変形させながら該金具側弾性変形部に接触することを特徴とするコネクタ。
【請求項２】
請求項１記載のコネクタにおいて、
上記リセプタクルコンタクトが、上記外周壁に固定した一端側から上記嵌合方向に延びかつ上記直交方向に弾性変形可能な第一弾性変形部、該第一弾性変形部の上記嵌合方向の端部から上記直交方向に延びる延長部、及び該延長部の先端から上記嵌合凸部の上記嵌合凹部に対する脱出方向に延びながら上記第一弾性変形部と上記直交方向に対向しかつ上記直交方向に弾性変形可能な第二弾性変形部、を備え、
上記リセ側突起が、上記第一弾性変形部から上記第二弾性変形部側に突出する第一リセ側突起、及び、上記第二弾性変形部から上記第一弾性変形部側に向かって突出する第二リセ側突起、を備え、
上記プラグ側突起が、上記嵌合凸部が上記嵌合凹部に嵌合したときに上記第一リセ側突起と上記第二リセ側突起をそれぞれ係合しながら乗り越える第一プラグ側突起及び第二プラグ側突起を備え、
上記第一弾性変形部及び上記第二弾性変形部が自由状態にあるときの上記第一プラグ側突起と上記第二プラグ側突起の間の上記直交方向距離が、上記第一リセ側突起と上記第二リセ側突起の間の上記直交方向距離より長いコネクタ。
【請求項３】
請求項２記載のコネクタにおいて、
上記第一リセ側突起と上記第二リセ側突起の上記嵌合方向の位置、及び、上記第一プラグ側突起と上記第二プラグ側突起の上記嵌合方向の位置が互いにずれているコネクタ。
【請求項４】
請求項１から３のいずれか１項記載のコネクタにおいて、
上記プラグインシュレータが係合凹部を備え、
上記リセプタクルインシュレータが、上記嵌合凸部が上記嵌合凹部に嵌合したときに、上記プラグコンタクトと上記リセプタクルコンタクトが接触するよりも先に上記係合凹部に対して嵌合する係合凸部を備えるコネクタ。
【請求項５】
請求項１から４のいずれか１項記載のコネクタにおいて、
上記外周壁が一対の短手構成部と一対の長手構成部を有する矩形形状であり、
上記リセ側固定金具が、上記短手構成部に被せた、該短手構成部の延長方向に沿って延びる短手側固定部、及び、該短手側固定部の両端部から該外周壁の長手方向に延びかつ一対の上記長手構成部にそれぞれ被せた一対の長手側固定部、を有するコネクタ。
【請求項６】
請求項５記載のコネクタにおいて、
上記リセ側固定金具が、一対の上記長手側固定部からそれぞれ延びる一対の上記金具側弾性変形部を備えるコネクタ。
【請求項７】
請求項１から６のいずれか１項記載のコネクタにおいて、
上記リセ側固定金具及び上記プラグ側固定金具が導通検知回路に接続可能であるコネクタ。
【発明の詳細な説明】
【技術分野】
【０００１】
本発明はプラグコネクタ及びプラグコネクタと着脱可能なリセプタクルコネクタを備えるコネクタに関する。
【背景技術】
【０００２】
デスクトップ型ＰＣ（パーソナルコンピュータ）、ノート型ＰＣ、スマートフォン等の携帯端末、或いは、タブレット型ＰＣ等の電子機器や電気機器は一般的に、電子部品を実装した回路基板と、別の電子部品を実装した別の回路基板を内蔵している。
【０００３】
特許文献１のコネクタは、これら二つの回路基板どうしを接続するためのコネクタであり、回路基板（リジッド基板）に実装したリセプタクルコネクタと、別の回路基板（リジッド基板）に実装したプラグコネクタと、を具備している。
これらのリセプタクルコネクタは、リセプタクルインシュレータと、複数のリセプタクルコンタクトと、一対のリセ側固定金具と、を備えている。リセプタクルインシュレータは、環状の外周壁と、外周壁の内側に形成した嵌合凹部と、を備えている。複数のリセプタクルコンタクトはリセプタクルコネクタの長手方向に並んだ状態でリセプタクルインシュレータに支持させてある。一対のリセ側固定金具は、リセプタクルインシュレータに対して固定してある。またリセ側固定金具は、弾性変形可能な弾性接触片を備えている。各リセプタクルコンタクトは回路基板の実装面に形成した回路パターンに実装可能であり、リセ側固定金具は当該実装面に形成した導通検知パターンに実装可能である。
【０００４】
一方、プラグコネクタは、プラグインシュレータと、複数のプラグコンタクトと、一対のプラグ側固定金具と、を備えている。プラグインシュレータは、上記嵌合凹部に嵌合可能な環状の嵌合凸部を備えている。各プラグコンタクトは回路基板の実装面の回路パターンに実装可能であり、プラグ側固定金具は当該実装面に形成した導通検知パターンに実装可能である。
【０００５】
リセプタクルコネクタの嵌合凹部に対してプラグコネクタの嵌合凸部を嵌合（接続）すると、各プラグコンタクトが各リセプタクルコンタクトに対してそれぞれ接触するので、リセプタクルコネクタ側の回路基板に実装した電子部品とプラグコネクタ側の回路基板に実装した電子部品が互いに電気的に導通する。
さらにこのとき、各リセプタクルコンタクトに突設した凸部が各プラグコンタクトの表面に凹設した凹部に対して係合する。そのため手でリセプタクルコネクタとプラグコネクタの接続作業を行う作業者は、リセプタクルコネクタとプラグコネクタを完全に接続したときにクリック感を得られる。
【０００６】
さらに各リセプタクルコンタクトに突設した凸部が各プラグコンタクトの表面に凹設した凹部に対して係合すると、リセ側固定金具の弾性接触片に対してプラグ側固定金具が接触する。その結果、リセプタクルコネクタ側の回路基板の導通検知パターンとプラグコネクタ側の回路基板の導通検知パターンが互いに導通するので、プラグコンタクトとリセプタクルコンタクトが接続していること（リセプタクルコネクタ側の回路基板の回路パターンとプラグコネクタ側の回路基板の回路パターンが互いに導通していること）を認識可能となる。
【０００７】
さらに、リセ側固定金具が弾性接触片を備えているので、リセプタクルコネクタとプラグコネクタを接続した後に両者を分離し、その後に再度リセプタクルコネクタとプラグコネクタを接続した場合においても、リセ側固定金具とプラグ側固定金具は確実に強固に係合する。またリセ側固定金具の弾性接触片がプラグ側固定金具に対する追従性を有しているので、リセ側固定金具とプラグ側固定金具を安定した状態で接触させることが可能であり導通状態の検知を確実に行うことが可能である。
なお、仮にリセ側固定金具及びプラグ側固定金具が弾性接触片を備えていない場合は、リセ側固定金具とプラグ側固定金具の係合部分が削れ易い。そのため、リセプタクルコネクタとプラグコネクタを接続した後に両者を分離しその後に再度リセプタクルコネクタとプラグコネクタを接続したときに、リセプタクルコネクタとプラグコネクタの嵌合状態の保持力が低下したり、作業者がクリック感を感じられなくなるおそれがある。さらにリセプタクルコネクタとプラグコネクタの嵌合状態の保持力が低下すると、導通状態の検知を確実に行うのが難しくなってしまう。
【先行技術文献】
【特許文献】
【０００８】
【特許文献１】特開２０１２−９３７３号公報
【発明の概要】
【発明が解決しようとする課題】
【０００９】
特許文献１のコネクタでは、リセプタクルコンタクトに突設した凸部がプラグコンタクトの表面に凹設した凹部に対して係合したとき（リセプタクルコネクタとプラグコネクタを接続したとき）、リセ側固定金具の弾性接触片に対してプラグ側固定金具が接触する。
しかしこのときにリセ側固定金具の弾性接触片が、プラグコネクタをリセプタクルコネクタから脱出させる方向の付勢力を発生する。
そのためリセ側固定金具の弾性接触片が発生する付勢力によって、プラグコネクタとリセプタクルコネクタの接続が解除されてしまうおそれがある。
【００１０】
またリセプタクルコネクタとプラグコネクタを接続するとき、リセプタクルコンタクトは自身の凸部がプラグコンタクトの平滑な表面に接触することにより自由状態から弾性変形し、自身の凸部がプラグコンタクトの凹部に係合したときに自由状態側に復帰する方向に弾性変形する。そしてリセプタクルコンタクトが自由状態側に弾性変形（復帰）する際の弾性力によってリセプタクルコンタクトの凸部がプラグコンタクトの凹部に係合したときに作業者はクリック感を感じることができる。
リセプタクルコンタクトは自身の凸部がプラグコンタクトの平滑な表面に接触したときに弾性変形量が最大となる。しかしこのときの凸部の接触対象がプラグコンタクトの表面であるため、このときのリセプタクルコンタクトの弾性変形量はあまり大きくならない。そのため、リセプタクルコンタクトの凸部がプラグコンタクトの凹部に係合するときのリセプタクルコンタクトの自由状態側への弾性力（復帰力）はあまり大きくならない。従って、リセプタクルコンタクトの凸部がプラグコンタクトの凹部に係合したときのクリック感があまり大きくならず、プラグコンタクトの凸部がリセプタクルコンタクトの凹部に係合したこと（リセプタクルコネクタとプラグコネクタを完全に接続したこと）を作業者が明確に認識できないおそれがある。
【００１１】
本発明の目的は、リセプタクルコネクタとプラグコネクタの接続状態を保持し易く、しかも接続したときに作業者がクリック感を明確に感じることが可能なコネクタを提供することにある。
【課題を解決するための手段】
【００１２】
本発明のコネクタは、内周側に嵌合凹部を形成する環状の外周壁を有する樹脂製のリセプタクルインシュレータ、リセ側回路基板の回路パターンに対して実装可能でありかつ上記リセプタクルインシュレータに支持した弾性変形可能なリセプタクルコンタクト、及び上記リセプタクルインシュレータに支持したリセ側固定金具、を有するリセプタクルコネクタと、上記嵌合凹部に嵌合可能な環状の嵌合凸部を有するプラグインシュレータ、プラグ側回路基板の回路パターンに実装可能でありかつ上記嵌合凸部が上記嵌合凹部に嵌合したときに上記リセプタクルコンタクトと接触する、上記プラグインシュレータに支持したプラグコンタクト、及び上記リセプタクルインシュレータに支持したプラグ側固定金具、を有するプラグコネクタと、を具備するコネクタであって、上記リセプタクルコンタクトがリセ側突起を有し、上記プラグコンタクトが、上記嵌合凸部が上記嵌合凹部に嵌合したときに、上記リセ側突起と係合した後に該リセ側突起を上記嵌合凸部の上記嵌合凹部に対する嵌合方向に乗り越えるプラグ側突起を有し、上記プラグ側固定金具は、少なくとも一つの上記プラグ側突起が上記リセ側突起を乗り越える前は上記リセ側固定金具と接触せず、全ての上記プラグ側突起が上記リセ側突起を乗り越えたときに上記リセ側固定金具と接触し、上記リセ側固定金具が、上記嵌合方向に対して直交する直交方向に弾性変形可能な金具側弾性変形部を備え、上記プラグ側固定金具が、全ての上記プラグ側突起が上記リセ側突起を乗り越えたときに、上記金具側弾性変形部を弾性変形させながら該金具側弾性変形部に接触することを特徴としている。
【００１３】
上記リセプタクルコンタクトが、上記外周壁に固定した一端側から上記嵌合方向に延びかつ上記直交方向に弾性変形可能な第一弾性変形部、該第一弾性変形部の上記嵌合方向の端部から上記直交方向に延びる延長部、及び該延長部の先端から上記嵌合凸部の上記嵌合凹部に対する脱出方向に延びながら上記第一弾性変形部と上記直交方向に対向しかつ上記直交方向に弾性変形可能な第二弾性変形部、を備え、上記リセ側突起が、上記第一弾性変形部から上記第二弾性変形部側に突出する第一リセ側突起、及び、上記第二弾性変形部から上記第一弾性変形部側に向かって突出する第二リセ側突起、を備え、上記プラグ側突起が、上記嵌合凸部が上記嵌合凹部に嵌合したときに上記第一リセ側突起と上記第二リセ側突起をそれぞれ係合しながら乗り越える第一プラグ側突起及び第二プラグ側突起を備え、上記第一弾性変形部及び上記第二弾性変形部が自由状態にあるときの上記第一プラグ側突起と上記第二プラグ側突起の間の上記直交方向距離が、上記第一リセ側突起と上記第二リセ側突起の間の上記直交方向距離より長くてもよい。
この場合は、上記第一リセ側突起と上記第二リセ側突起の上記嵌合方向の位置、及び、上記第一プラグ側突起と上記第二プラグ側突起の上記嵌合方向の位置が互いにずれていてもよい。
【００１４】
上記プラグインシュレータが係合凹部を備え、上記リセプタクルインシュレータが、上記嵌合凸部が上記嵌合凹部に嵌合したときに、上記プラグコンタクトと上記リセプタクルコンタクトが接触するよりも先に上記係合凹部に対して嵌合する係合凸部を備えてもよい。
【００１５】
上記外周壁が一対の短手構成部と一対の長手構成部を有する矩形形状であり、上記リセ側固定金具が、上記短手構成部に被せた、該短手構成部の延長方向に沿って延びる短手側固定部、及び、該短手側固定部の両端部から該外周壁の長手方向に延びかつ一対の上記長手構成部にそれぞれ被せた一対の長手側固定部、を有してもよい。
さらに上記リセ側固定金具が、一対の上記長手側固定部からそれぞれ延びる一対の上記金具側弾性変形部を備えてもよい。
【００１６】
上記リセ側固定金具及び上記プラグ側固定金具が導通検知回路に接続可能であってもよい。
【発明の効果】
【００１７】
本発明のコネクタは、リセプタクルコネクタとプラグコネクタが接続したときに（全てのプラグ側突起がリセ側突起を乗り越えたときに）、プラグ側固定金具が金具側弾性変形部を弾性変形させながらリセ側固定金具に接触する。
このときリセ側固定金具の金具側弾性変形部は弾性変形するものの、その弾性変形方向は嵌合凸部の嵌合凹部に対する嵌合方向に対して直交する方向である。そのため、この際に金具側弾性変形部が発生する付勢力は、プラグコネクタをリセプタクルコネクタから脱出させる方向の付勢力とはならない。
従って、リセプタクルコネクタとプラグコネクタの接続状態を保持し易い。
【００１８】
またリセプタクルコネクタをプラグコネクタに接続すると、プラグコンタクトの全てのプラグ側突起がリセプタクルコンタクトの対応する全てのリセ側突起を上記嵌合方向に乗り越える。
プラグ側突起がリセ側突起を乗り越えようとするとき、リセプタクルコンタクトの弾性変形量が最大となる。そしてこのときのリセ側突起の接続対象が（プラグコンタクトの平滑な表面ではなく）プラグ側突起であるため、このときのリセプタクルコンタクトの弾性変形量は（リセ側突起の接続対象がプラグコンタクトの平滑な表面の場合と比べて）大きくなる。そのためプラグ側突起がリセ側突起を完全に乗り越えたときに、リセプタクルコンタクトは強い弾性力（復帰力）を伴いながらプラグコンタクト側に変形し、リセ側突起が大きな力を伴いながらプラグコンタクトの表面に接触（衝突）する。
従って、リセプタクルコネクタとプラグコネクタが接続したときに作業者はクリック感を確実に感じ、リセプタクルコネクタとプラグコネクタが接続したことを明確に認識できる。
【図面の簡単な説明】
【００１９】
【図１】本発明の一実施形態のプラグコネクタの上方から見た分解斜視図である。
【図２】プラグコネクタの下方から見た分解斜視図である。
【図３】プラグコネクタの上方から見た斜視図である。
【図４】プラグコネクタの下方から見た斜視図である。
【図５】（ａ）は図３のＶａ−Ｖａ矢線に沿う断面図であり、（ｂ）は図３のＶｂ−Ｖｂ矢線に沿う断面図である。
【図６】リセプタクルコネクタの上方から見た分解斜視図である。
【図７】リセプタクルコネクタの下方から見た分解斜視図である。
【図８】リセプタクルコネクタの上方から見た斜視図である。
【図９】リセプタクルコネクタの下方から見た斜視図である。
【図１０】（ａ）は図８のＸａ−Ｘａ矢線に沿う断面図であり、（ｂ）は図８のＸｂ−Ｘｂ矢線に沿う断面図である。
【図１１】リセプタクルコネクタに対して上方からプラグコネクタを接近させたときの上方から見た斜視図である。
【図１２】（ａ）は図１１のＸIIａ−ＸIIａ矢線に沿う断面図であり、（ｂ）は図１１のＸIIｂ−ＸIIｂ矢線に沿う断面図である。
【図１３】プラグコンタクトがリセプタクルコンタクトに接触し始めたときの図１２と同様の断面図である。
【図１４】図１３の状態からプラグコネクタがリセプタクルコネクタの内部にさらに進入したときの図１２と同様の断面図である。
【図１５】図１４の状態からプラグコネクタがリセプタクルコネクタの内部にさらに進入して、プラグコンタクトの第一プラグ側突起及び第二プラグ側突起がリセプタクルコンタクトの第一リセ側突起及び第二リセ側突起を乗り越えたときの図１２と同様の断面図である。
【図１６】リセプタクルコネクタとプラグコネクタが完全に接続したときの上方から見た斜視図である。
【図１７】図１６のときの図１２と同様の断面図である。
【発明を実施するための形態】
【００２０】
以下、添付図面を参照しながら本発明の一実施形態について説明する。なお、以下の説明中の前後、左右、及び上下の方向は、図中の矢印方向を基準としている。
本実施形態のコネクタ１０は、プラグコネクタ１５とリセプタクルコネクタ３５を具備している。
【００２１】
まずはプラグコネクタ１５の詳しい構造について主に図１−図５を参照しながら説明する。
プラグコネクタ１５は大きな構成要素としてプラグインシュレータ１６と、多数のプラグコンタクト２５と、四つのプラグ側固定金具２８と、を具備している。
プラグインシュレータ１６は、絶縁性かつ耐熱性の合成樹脂料からなる左右方向に延びる板状部材である。プラグインシュレータ１６は、上端部を構成する天井板部１７と、天井板部１７の下面の周縁部全体から下方に突出する環状壁からなる嵌合凸部１８と、を具備している。嵌合凸部１８の左側壁部の右側部の下端部には、左側から右側に向かうにつれて下方から上方に向かう案内傾斜面１８ａが形成してある（図２、図４参照）。同様に嵌合凸部１８の右側壁部の左側部の下端部には、右側から左側に向かうにつれて下方から上方に向かう案内傾斜面１８ａが形成してある（図示略）。また、嵌合凸部１８の左側壁部の左側部の下端部には、左側から右側に向かうにつれて上方から下方に向かう案内傾斜面１８ｂが形成してある（図示略）。同様に嵌合凸部１８の右側壁部の右側部の下端部には、右側から左側に向かうにつれて上方から下方に向かう案内傾斜面１８ｂが形成してある（図２、図４参照）。天井板部１７と嵌合凸部１８によって形成された空間は係合凹部１９を構成している。嵌合凸部１８の前壁及び後壁には、前後両面及び下面に跨る断面略Ｕ字形のコンタクト取付溝２１が左右方向に並べて多数凹設してある（図１、図２、図５等参照）。さらに嵌合凸部１８の左右両側部の表面には断面略Ｕ字形をなす計四つの金具取付溝２２がそれぞれ凹設してある（図１、図２、図５等参照）。
【００２２】
各プラグコンタクト２５は、ばね弾性を備えた銅合金（例えばリン青銅、ベリリウム銅、チタン銅、コルソン銅）の薄板を図示形状となるようにスタンピング成形したものであり、表面には金や錫などによってメッキを施してある。プラグコンタクト２５は、断面略Ｕ字形をなす本体部の内側部分を構成する上下方向に延びる内側接触片２６ａと、本体部の外側部分を構成する上下方向に延びる外側接触片２６ｂと、外側接触片２６ｂの上端から略水平に延びるテール片２７と、を有している。さらに外側接触片２６ｂの表面の下端近傍には第一プラグ側突起２６ｂ１（プラグ側突起）が突設してあり、内側接触片２６ａの表面の下端近傍には第二プラグ側突起２６ａ１（プラグ側突起）が突設してある。図５等に示すように第二プラグ側突起２６ａ１は第一プラグ側突起２６ｂ１よりも下方に位置している。プラグコンタクト２５は、テール片２７を除く部分がコンタクト取付溝２１に対して固定状態で圧入してある。内側接触片２６ａ及び外側接触片２６ｂの左右両側面には係止突起が突設してあり、これらの係止突起がコンタクト取付溝２１の内面に食い込んでいる。各プラグコンタクト２５のテール片２７の上端部は天井板部１７の上端面より僅かに上方に突出している。
【００２３】
各プラグ側固定金具２８は金属板を図示形状にスタンピング成形したものであり、その表面には金や錫などによってメッキが施してある。
プラグ側固定金具２８は、上下方向に対して直交する平板状の基片２９と、基片２９の外側端部から上方に延びる接触部３０と、接触部３０の上端から外側に延びるテール片３１と、基片２９の内側端部から上方に延びる固定部３２と、を具備している。接触部３０と基片２９の接続部はＲ面３０ａにより構成してある（図５参照）。プラグ側固定金具２８は、テール片３１を除く部分が金具取付溝２２に対して固定状態で圧入してある。プラグ側固定金具２８の接触部３０及び固定部３２の左右両側面には係止突起が突設してあり、これらの係止突起が金具取付溝２２の内面に食い込んでいる。各プラグ側固定金具２８のテール片３１の上端部は天井板部１７の上端面より僅かに上方に突出している。
【００２４】
以上構造のプラグコネクタ１５は回路基板３４（リジッド基板。プラグ側回路基板。図１２の仮想線参照）の一方の面に形成した実装面に実装する。具体的には、各プラグコンタクト２５のテール片２７を回路基板３４の実装面（下面）に形成された回路パターン（図示略）に対してはんだ付けし、かつ、各プラグ側固定金具２８のテール片３１を当該実装面に形成された導通検知パターン（図示略）に対してはんだ付けする（所謂ストレート（ＳＴ）接続）。回路基板３４の実装面にはプラグコネクタ１５とは別の電子部品（例えば高機能用モジュールや半導体、大容量メモリ等）が実装してある。
【００２５】
続いてリセプタクルコネクタ３５の詳しい構造について主に図６−図１０を参照しながら説明する。
リセプタクルコネクタ３５は大きな構成要素としてリセプタクルインシュレータ４０と、一対のリセ側固定金具５０と、プラグコンタクト２５と同数のリセプタクルコンタクト６０と、を具備している。
【００２６】
絶縁性かつ耐熱性の合成樹脂料からなるリセプタクルインシュレータ４０は図６−図１０等に示した左右方向に延びる部材である。リセプタクルインシュレータ４０は、下部を構成する底板部４１と、底板部４１の上面の周縁部全体から上方に突出する平面視矩形の環状壁からなる外周壁４２と、底板部４１の上面から上方に突出する係合凸部４３と、を具備している。外周壁４２は、左右一対の短手構成部４２ａと、左右の短手構成部４２ａの前後両端同士を接続する前後一対の長手構成部４２ｂと、を備えている。短手構成部４２ａの内面には前後一対の接触凸部４２ａ１が突設してあり、接触凸部４２ａ１の上端部には傾斜面４２ａ２が形成してある。外周壁４２から内周側に離間する係合凸部４３は左右方向に直線的に延びており、その左右両端の上端部はＲ面４３ａにより構成してある。さらに係合凸部４３の左右両端面は、下方に向かうにつれて対向する短手構成部４２ａ側に延びる傾斜案内面４３ｂにより構成してある。外周壁４２と係合凸部４３の間に形成された空間は環状の嵌合凹部４４を構成している。
外周壁４２の外周面の左右両端部には、３つの金具固定溝４５ａ、４５ｂがそれぞれ凹設してある。さらに前後の長手構成部４２ｂの左右両端部の内周面には左右一対の収納溝４５ｃが凹設してある。
外周壁４２の前後の長手構成部４２ｂの左右両端部を除く部分は前壁４２ｃと後壁４２ｄにより構成してある。前壁４２ｃの後面及び後壁４２ｄの前面には上下方向に延びるコンタクト取付溝４６が、左右方向に並べて多数（プラグコンタクト２５と同数）凹設してある。さらに係合凸部４３の直前に位置する底板部４１の底面と係合凸部４３の前面とに跨る部分には、対応する前壁４２ｃのコンタクト取付溝４６と連続する変形許容溝４７が凹設してあり、同様に、係合凸部４３の直後に位置する底板部４１の底面と係合凸部４３の後面とに跨る部分には、対応する後壁４２ｄのコンタクト取付溝４６と連続する変形許容溝４７が凹設してある（図６、図７、図１０等参照）。
【００２７】
左右一対のリセ側固定金具５０は前後対称な形状である。各リセ側固定金具５０は金属板をプレス成形したものであり、その表面には金や錫などによってメッキが施してある。リセ側固定金具５０は、前後方向に延びる短手側固定部５１と、短手側固定部５１の両端部から左右方向に延びる長手側固定部５２と、短手側固定部５１及び長手側固定部５２の外周縁部からそれぞれ略下向きに延びる短手側テール片５３及び長手側テール片５４と、長手側固定部５２の内周縁部から斜め下向きに延びる金具側弾性変形部５５と、を具備している。金具側弾性変形部５５の下端近傍は屈曲しており、当該下端近傍には接触突部５６が形成してある。さらに金具側弾性変形部５５は略前後方向（嵌合凸部１８の嵌合凹部４４に対する嵌合方向に対して直交する直交方向。なお当該「直交方向」及び特許請求の範囲の「直交方向」は略直交方向も含む概念である）に弾性変形可能である。
【００２８】
左右のリセ側固定金具５０は、短手側固定部５１を左右の短手構成部４２ａの上面に被せかつ長手側固定部５２を長手構成部４２ｂの端部に被せながら、短手側テール片５３を金具固定溝４５ａに固定状態で圧入しかつ左右の長手側テール片５４を左右の金具固定溝４５ｂに固定状態で圧入することによりリセプタクルインシュレータ４０に固定してある。
このようにして左右のリセ側固定金具５０をリセプタクルインシュレータ４０に固定すると、各リセ側固定金具５０の左右の金具側弾性変形部５５が対応する収納溝４５ｃ内に位置しかつ収納溝４５ｃの内面から離間する（図１０（ｂ）参照）。そのため各金具側弾性変形部５５は前後方向に弾性変形可能である。
さらにリセ側固定金具５０の短手側テール片５３及び長手側テール片５４の下端部がリセプタクルインシュレータ４０の下面より僅かに下方に突出する。
【００２９】
各リセプタクルコンタクト６０はプラグコンタクト２５と同様の要領によって成形したものであり、略水平なテール片６１と、テール片６１の内側端部から上方に延びる固定片６２と、固定片６２の上端部に連続する略Ｓ字形の弾性接触片６３と、を具備している。弾性接触片６３は、固定片６２の上端部から下方に延びる垂下部６４と、垂下部６４の下端部から略水平に延びる延長部６５と、延長部６５の内側端部から略上方に延びる立上り部６６と、を有している（図１０、図１２−１５、図１７等を参照）。さらに垂下部６４の表面の上端部には第一リセ側突起６４ａ（リセ側突起）が立上り部６６側に向けて突設してあり、立上り部６６の表面の上端近傍には第二リセ側突起６６ａ（リセ側突起）が垂下部６４側に向けて突設してある。図１０等に示すように第二リセ側突起６６ａは第一リセ側突起６４ａよりも下方に位置している。またリセプタクルコンタクト６０（弾性接触片６３）が自由状態にあるときの第一リセ側突起６４ａと第二リセ側突起６６ａの間の前後方向距離（対向距離）よりも、プラグコネクタ１５の第二プラグ側突起２６ａ１の先端と第一プラグ側突起２６ｂ１の先端との間の前後方向距離の方が長い。
各リセプタクルコンタクト６０は、リセプタクルインシュレータ４０の下方から各コンタクト取付溝４６及び各変形許容溝４７に対して挿入し、固定片６２をコンタクト取付溝４６に対して圧入（固定）することによりリセプタクルインシュレータ４０に取り付けてある。リセプタクルコンタクト６０（固定片６２）をリセプタクルインシュレータ４０（コンタクト取付溝４６）に固定すると、弾性接触片６３が変形許容溝４７の内面から離間するので（図１０、図１２−１５、図１７等を参照）、弾性接触片６３は変形許容溝４７内において前後方向に弾性変形可能である。さらに各リセプタクルコンタクト６０のテール片６１が、底板部４１の下面の下方に位置する（図１０、図１２−１５、図１７等を参照）。
【００３０】
以上構造のリセプタクルコネクタ３５は、回路基板３４と平行（略平行も含む）な板材である回路基板７０（リジッド基板。リセ側回路基板。図１２の仮想線参照）の実装面に形成された回路パターン（図示略）に対して各リセプタクルコンタクト６０のテール片６１をはんだ付けし、さらに当該実装面に形成された導通検知パターンに対して各リセ側固定金具５０の短手側テール片５３及び長手側テール片５４の下端部をはんだ付けすることにより、回路基板７０に対して固定（実装）する（所謂ストレート（ＳＴ）接続）。回路基板７０の実装面にはリセプタクルコネクタ３５とは別の電子部品（例えば、ＣＰＵ、コントローラー、メモリ等）が実装してある。
【００３１】
以上構成のプラグコネクタ１５とリセプタクルコネクタ３５は以下の要領で接続する。
まずは図１１、図１２に示すように、作業者（図示略）が手でプラグコネクタ１５とリセプタクルコネクタ３５を把持しながら、プラグコネクタ１５とリセプタクルコネクタ３５を互いの前後位置及び左右位置を一致させながら上下方向に対向させる。
そしてプラグコネクタ１５を下方に移動させて嵌合凸部１８を嵌合凹部４４に嵌合し、係合凹部１９を係合凸部４３に嵌合する。するとプラグコネクタ１５のプラグインシュレータ１６の左右の案内傾斜面１８ａがリセプタクルコネクタ３５の係合凸部４３の左右のＲ面４３ａに当接しかつ左右の案内傾斜面１８ｂが左右の接触凸部４２ａ１の傾斜面４２ａ２に当接する。
さらにプラグコネクタ１５を下方へ移動させると、プラグコネクタ１５のプラグインシュレータ１６の左右の案内傾斜面１８ａがリセプタクルコネクタ３５の係合凸部４３の左右の傾斜案内面４３ｂ上を下方に摺動しかつ左右の案内傾斜面１８ｂが左右の接触凸部４２ａ１の表面上を下方に摺動する。即ち、案内傾斜面１８ａと傾斜案内面４３ｂ及び案内傾斜面１８ｂと接触凸部４２ａ１が案内作用を発揮するので、プラグコネクタ１５がリセプタクルコネクタ３５に対して嵌合方向（下方）へ円滑に移動する。すると係合凸部４３の上部全体が係合凹部１９の下部全体に対して嵌合するので、プラグコネクタ１５とリセプタクルコネクタ３５は実質的に上下方向にのみ相対移動可能（厳密には、係合凸部４３の外周面と係合凹部１９の内周面の間の微少クリアランス分だけ上下方向と異なる方向に微少移動する可能性がある）な状態となる。
このように係合凹部１９と係合凸部４３によってプラグコネクタ１５とリセプタクルコネクタ３５を実質的に上下方向にのみ相対移動可能（相対回転不能）な状態にした後にプラグコネクタ１５をさらに下方へ移動させると、図１３（ａ）に示すようにプラグコネクタ１５の各プラグコンタクト２５の下端部がリセプタクルコネクタ３５の各リセプタクルコンタクト６０の垂下部６４及び立上り部６６の上端部に対して上方から接触する。図１３（ｂ）に示すように、このときプラグコネクタ１５のプラグ側固定金具２８はリセプタクルコネクタ３５のリセ側固定金具５０から上方に離間している。
【００３２】
図１３の状態からプラグコネクタ１５をさらに下方へ移動させると、プラグコネクタ１５の各プラグコンタクト２５の下端部が各リセプタクルコンタクト６０の垂下部６４と立上り部６６の間に進入し、垂下部６４と立上り部６６の間隔を押し広げるように弾性接触片６３を弾性変形させる。
そして各プラグコンタクト２５の第一プラグ側突起２６ｂ１が各リセプタクルコンタクト６０の垂下部６４の第一リセ側突起６４ａに対して側方から係合し、かつ、各プラグコンタクト２５の第二プラグ側突起２６ａ１が立上り部６６の第二リセ側突起６６ａに対して上方から係合する。するとプラグコンタクト２５及びリセプタクルコンタクト６０を介して回路基板３４と回路基板７０が電気的に導通可能になる。この状態からプラグコネクタ１５をさらに下方へ移動させると、図１４に示すように第一プラグ側突起２６ｂ１が第一リセ側突起６４ａを下方（嵌合凸部１８の嵌合凹部４４に対する嵌合方向）へ乗り越えて第一リセ側突起６４ａが外側接触片２６ｂの表面に接触し、第二プラグ側突起２６ａ１が立上り部６６の第二リセ側突起６６ａに対して側方から係合する。このときプラグコネクタ１５のプラグ側固定金具２８はリセプタクルコネクタ３５のリセ側固定金具５０から上方に離間している。
【００３３】
図１４の状態からプラグコネクタ１５をさらに下方へ僅かに移動させると、各プラグコンタクト２５の第二プラグ側突起２６ａ１が立上り部６６の第二リセ側突起６６ａを下方へ乗り越えて第一リセ側突起６６ａが内側接触片２６ａの表面に接触する（図１４と図１５の間の図示を省略した状態）。このときもプラグコネクタ１５のプラグ側固定金具２８はまだリセプタクルコネクタ３５のリセ側固定金具５０から上方に離間している。
各プラグコンタクト２５の第一プラグ側突起２６ｂ１が各リセプタクルコンタクト６０の垂下部６４の第一リセ側突起６４ａに対して係合しかつ各プラグコンタクト２５の第二プラグ側突起２６ａ１が立上り部６６の第二リセ側突起６６ａに対して係合する時（瞬間）、リセプタクルコンタクト６０の弾性接触片６３（垂下部６４、延長部６５、立上り部６６）の弾性変形量が最大となる。そしてこのときの第一リセ側突起６４ａと第二リセ側突起６６ａの接続対象が（プラグコンタクト２５の平滑な表面ではなく）プラグコンタクト２５の第一プラグ側突起２６ｂ１と第二プラグ側突起２６ａ１であるため、このときの弾性接触片６３の弾性変形量は（接続対象が平面の場合と比べて）大きくなる。そのため第一プラグ側突起２６ｂ１が第一リセ側突起６４ａを完全に乗り越えたときに、垂下部６４は強い弾性力（復帰力）を伴いながら外側接触片２６ｂ側に変形し、第一リセ側突起６４ａが大きな力を伴いながら外側接触片２６ｂの表面に接触（衝突）する（図１４参照）。同様に、第二プラグ側突起２６ａ１が第二リセ側突起６６ａを完全に乗り越えたときに、立上り部６６は強い弾性力（復帰力）を伴いながら内側接触片２６ａ側に変形し、第二リセ側突起６６ａが大きな力を伴いながら内側接触片２６ａの表面に接触（衝突）する。従って、作業者はクリック感を確実に感じ、プラグコネクタ１５とリセプタクルコネクタ３５が接続したことを明確に認識できる。
【００３４】
この後にプラグコネクタ１５をさらに下方へ移動させると、図１５に示すようにプラグコネクタ１５のプラグ側固定金具２８のＲ面３０ａがリセ側固定金具５０の金具側弾性変形部５５の接触突部５６に対して上方から接触する。回路基板３４の導通検知パターンと回路基板７０の導通検知パターンは図示を省略した導通検知回路と電気的に導通しているため、プラグ側固定金具２８のＲ面３０ａがリセ側固定金具５０の接触突部５６に接触したときにプラグコネクタ１５とリセプタクルコネクタ３５が接続したこと（リセプタクルコンタクト６０の第二リセ側突起６６ａと第一リセ側突起６４ａがプラグコンタクト２５の内側接触片２６ａと外側接触片２６ｂに接触することにより回路基板３４の回路パターンと回路基板７０の回路パターンが互いに導通したこと）を認識可能となる。
【００３５】
図１６及び図１７に示すように図１５の状態からプラグコネクタ１５をさらに下方へ移動させると、リセプタクルコンタクト６０の第二リセ側突起６６ａと第一リセ側突起６４ａに対してプラグコンタクト２５の内側接触片２６ａと外側接触片２６ｂが摺動し、プラグコネクタ１５とリセプタクルコネクタ３５が完全に接続する。
するとプラグ側固定金具２８の接触部３０が対応する金具側弾性変形部５５を外側（左側の金具側弾性変形部５５は左側、右側の金具側弾性変形部５５は右側）に弾性変形させる。その結果、左側の金具側弾性変形部５５と右側の金具側弾性変形部５５が互いに近づく方向の付勢力を発生しながらプラグコネクタ１５の左右両側を挟み込む。従って、この際に左右の金具側弾性変形部５５が発生する付勢力は、プラグコネクタ１５をリセプタクルコネクタ３５から脱出させる方向の付勢力とはならない。そのため、意図的にプラグコネクタ１５をリセプタクルコネクタ３５に対して上方へ相対移動させない限りプラグコネクタ１５とリセプタクルコネクタ３５の完全接続状態が保持される。
【００３６】
以上説明したように本実施形態のコネクタ１０は、プラグコネクタ１５とリセプタクルコネクタ３５の接続状態を保持し易く、しかもプラグコネクタ１５とリセプタクルコネクタ３５を接続したときに作業者がクリック感を確実に感じ易い（リセプタクルコネクタ３５とプラグコネクタ１５が接続したことを明確に認識できる）。
そしてプラグコネクタ１５とリセプタクルコネクタ３５の嵌合作業中又は嵌合後に、導通検知回路が回路基板３４の導通検知パターンと回路基板７０の導通検知パターンが導通していることを検知した場合は、プラグコネクタ１５とリセプタクルコネクタ３５が正規嵌合していること（プラグコンタクト２５とリセプタクルコンタクト６０が正規接触していること）を作業者が認識可能である。その一方で、プラグコネクタ１５とリセプタクルコネクタ３５の嵌合作業中又は嵌合後に導通検知回路が非導通状態を検知した場合は、プラグコネクタ１５とリセプタクルコネクタ３５が不完全嵌合状態にあること（プラグコンタクト２５とリセプタクルコンタクト６０が接触していないか、第一プラグ側突起２６ｂ１が第一リセ側突起６４ａを乗り越えようとしている最中であったり第二プラグ側突起２６ａ１が第二リセ側突起６６ａを乗り越えようとしている最中のような不安定な接触状態にあること）を認識できる。
【００３７】
さらに、リセ側固定金具５０の金具側弾性変形部５５は自由状態において外周壁４２の収納溝４５ｃの表面（外周壁４２の内周側の表面）から内周側に離間しており、前後方向に弾性変形可能となっている。そのため、リセプタクルコネクタ３５とプラグコネクタ１５を接続した後に両者を分離しその後に再度リセプタクルコネクタ３５とプラグコネクタ１５を接続した場合においても、リセ側固定金具５０とプラグ側固定金具２８を強固に係合させることが可能である。
またプラグコネクタ１５とリセプタクルコネクタ３５を接続する際に、第一プラグ側突起２６ｂ１と第二プラグ側突起２６ａ１が（微少な）時間差をもって第一リセ側突起６４ａと第二リセ側突起６６ａをそれぞれ乗り越える。そのため第一プラグ側突起２６ｂ１と第二プラグ側突起２６ａ１が第一リセ側突起６４ａと第二リセ側突起６６ａを（完全に）同時に乗り越える場合と比べて、プラグコネクタ１５とリセプタクルコネクタ３５を接続させるために要する力を小さくすることが可能である。
さらに係合凹部１９と係合凸部４３によってプラグコネクタ１５とリセプタクルコネクタ３５を実質的に上下方向にのみ相対移動可能とした（相対回転を規制した）後に、プラグコンタクト２５とリセプタクルコンタクト６０の接触及びプラグ側固定金具２８とリセ側固定金具５０の接触を行う。そのため、プラグコンタクト２５とリセプタクルコンタクト６０が接触する前にプラグ側固定金具２８とリセ側固定金具５０が接触するのを確実に防止できる。
【００３８】
さらにリセプタクルコネクタ３５のリセ側固定金具５０の平面形状が略コ字形なので、直線形状のもの（例えば短手側固定部５１及び短手側テール片５３に相当する部位のみを有する形状）と比べて、リセプタクルインシュレータ４０に対するリセ側固定金具５０の固定強度が大きい。さらにプラグコネクタ１５が案内傾斜面１８ａ及び案内傾斜面１８ｂを備え、かつ、リセプタクルコネクタ３５が接触凸部４２ａ１、傾斜面４２ａ２、Ｒ面４３ａ、及び傾斜案内面４３ｂを備えている。そのためコネクタ１０（リセプタクルコネクタ３５）を小型化した場合においても、リセ側固定金具５０がリセプタクルインシュレータ４０から剥離するおそれを小さくしつつ、プラグコネクタ１５とリセプタクルコネクタ３５を様々な（平面視における）角度から円滑に嵌合挿入することが可能である。
【００３９】
またプラグコネクタ１５にプラグ側固定金具２８を設けてこのプラグ側固定金具２８をリセプタクルコネクタ３５のリセ側固定金具５０に接触させているので、プラグコネクタ１５からプラグ側固定金具２８を省略してプラグインシュレータ１６をリセ側固定金具５０に接触させる場合と比べて、リセ側固定金具５０との接触によってプラグコネクタ１５（プラグインシュレータ１６）が破損したり変形するおそれが小さい。
さらに、プラグ側固定金具２８の接触部３０がリセ側固定金具５０の金具側弾性変形部５５に接触したときに金具側弾性変形部５５が弾性変形するため、プラグコネクタ１５がリセプタクルコネクタ３５内で微小に動いたとしても接触部３０と金具側弾性変形部５５の接触状態は維持される。
【００４０】
以上、本発明を上記各実施形態に基づいて説明したが、本発明は上記実施形態に限定されるものではなく、様々な変形を施しながら実施可能である。
例えば、第一プラグ側突起２６ｂ１と第二プラグ側突起２６ａ１の上下位置を同じにしたり、第二リセ側突起６４ａと第一リセ側突起６６ａの上下位置を同じにしてもよい。
また一つのプラグコンタクト２５に一つ又は３つ以上のプラグ側突起を設けて、一つのリセプタクルコンタクト６０に一つ又は３つ以上のリセ側突起を設けてもよい。但し３つ以上の場合も、プラグコネクタとリセプタクルコネクタを接続するとき、全てのプラグ側突起が全てのリセ側突起を下方に乗り越えた後でプラグ側固定金具２８をリセ側固定金具５０の金具側弾性変形部５５に接触させる。
プラグコネクタ１５とリセプタクルコネクタ３５の一方を対応する回路基板に対して所謂ライトアングル（ＲＡ）態様で接続してもよい。
また電源（図示略）に接続する電源回路に対してプラグ側固定金具２８とリセ側固定金具５０を接続してもよい。
さらにリジッド基板以外の回路基板（例えば、ＦＰＣ（フレキシブルプリント回路基板））をプラグコネクタ１５やリセプタクルコネクタ３５に接続してもよい。
【符号の説明】
【００４１】
１０    コネクタ
１５    プラグコネクタ
１６    プラグインシュレータ
１７    天井板部
１８    嵌合凸部
１８ａ    １８ｂ案内傾斜面
１９    係合凹部
２１    コンタクト取付溝
２２    金具取付溝
２５    プラグコンタクト
２６ａ  内側第一接触片
２６ａ１  第二第一プラグ側突起（プラグ側突起）
２６ｂ  外側第二接触片
２６ｂ１  第一第二プラグ側突起（プラグ側突起）
２７    テール片
２８    プラグ側固定金具
２９    基片
３０    接触部
３０ａ  Ｒ面
３１    テール片
３２    固定部
３４    回路基板（プラグ側回路基板）
３５    リセプタクルコネクタ
４０    リセプタクルインシュレータ
４１    底板部
４２    外周壁
４２ａ  短手構成部
４２ａ１  接触凸部
４２ａ２  傾斜面
４２ｂ  長手構成部
４２ｃ  前壁
４２ｄ  後壁
４３    係合凸部
４３ａ  Ｒ面
４３ｂ  傾斜案内面
４４    嵌合凹部
４５ａ  ４５ｂ  金具固定溝
４５ｃ      収納溝
４６  コンタクト取付溝
４７    変形許容溝
５０    リセ側固定金具
５１    短手側固定部（固定部）
５２    長手側固定部（固定部）
５３    短手側テール片（固定部）
５４    長手側テール片（固定部）
５５    金具側弾性変形部
５６    接触突部
６０    リセプタクルコンタクト
６１    テール片
６２    固定片
６３    弾性接触片
６４    垂下部（第一弾性変形部）
６４ａ  第二リセ側突起（リセ側突起）
６５    延長部
６６    立上り部（第二弾性変形部）
６６ａ  第一リセ側突起（リセ側突起）
７０    回路基板（リセ側回路基板）
【図１】
2016038937.tif 000003
【図２】
2016038937.tif 000004
【図３】
2016038937.tif 000005
【図４】
2016038937.tif 000006
【図５】
2016038937.tif 000007
【図６】
2016038937.tif 000008
【図７】
2016038937.tif 000009
【図８】
2016038937.tif 000010
【図９】
2016038937.tif 000011
【図１０】
2016038937.tif 000012
【図１１】
2016038937.tif 000013
【図１２】
2016038937.tif 000014
【図１３】
2016038937.tif 000015
【図１４】
2016038937.tif 000016
【図１５】
2016038937.tif 000017
【図１６】
2016038937.tif 000018
【図１７】
2016038937.tif 000019